(57)【要約】【課題】  広告の広告効果を向上させるウェブページの表示方法【解決手段】  端末装置によるウェブページの表示方法において、第１のウェブページを画面に表示する段階と、画面に表示された第１のウェブページに含まれる第１の広告イメージに対するユーザの選択を受信する段階と、第１の広告イメージに対応する所定の機能を実行する段階とを含むことを特徴とする、本発明の一実施形態に係るウェブページの表示方法が開示される。【選択図】      図２
2019169163.tif 000002
【特許請求の範囲】
【請求項１】
端末装置によるウェブページの表示方法において、
第１のウェブページを画面に表示する段階と、
前記第１のウェブページの第１の地点に位置する第１の広告イメージを前記画面に表示する段階と、
前記第１の広告イメージに対する選択を受信する段階と、
前記第１の広告イメージに対するユーザの選択によって、該ユーザによって選択された前記第１の広告イメージに対応する動的オブジェクトを前記画面に表示しながら、前記第１のウェブページの第１の地点の代わりに予め設定された第２の地点を前記画面に表示するために前記第１のウェブページをスクロールする段階と、
を含むことを特徴とする、ウェブページの表示方法。
【請求項２】
前記動的オブジェクトは、
前記画面上での前記第１のウェブページのスクロールとは独立的に前記画面に表示されるフローティングオブジェクトを含む、
請求項１に記載のウェブページの表示方法。
【請求項３】
前記第１のウェブページは、前記第２の地点に位置する第２の広告イメージを含み、
前記第１のウェブページをスクロールする段階は、
前記動的オブジェクトが、前記第２の広告イメージから又は前記第２の広告イメージに含まれるイメージ要素のうちの特定のイメージ要素から所定の距離以内に近接すると、前記第２の広告イメージを変更する段階を含む、
請求項１に記載のウェブページの表示方法。
【請求項４】
前記第１のウェブページは、第２の広告イメージを含み、
前記第１の広告イメージが、前記第１のウェブページの上段に位置する場合、前記第２の広告イメージは、前記第１のウェブページの下段に位置し、
前記第１の広告イメージが、前記第１のウェブページの下段に位置する場合、前記第２の広告イメージは、前記第１のウェブページの上段に位置し、
前記第１のウェブページをスクロールする段階は、
動的オブジェクトを前記第１の広告イメージから前記第２の広告イメージの方向へ移動させる段階を含む、
請求項１に記載のウェブページの表示方法。
【請求項５】
前記第１のウェブページをスクロールする段階は、
前記第１のウェブページのスクロール方向を判断する段階と、
前記第１のウェブページのスクロール方向に基づいて動的オブジェクトの表示方向を決定する段階と、
前記決定された表示方向に従って、前記動的オブジェクトを前記画面に表示する段階と、
を含む、請求項１に記載のウェブページの表示方法。
【請求項６】
ハードウェアと結合され、該ハードウェアに請求項１乃至請求項５のいずれか一項のウェブページの表示方法を実行させるためのコンピュータプログラム。
【請求項７】
ディスプレイ部と、
所定のアプリケーションを用いて第１のウェブページの第１の地点に位置する第１の広告イメージを前記ディスプレイ部の画面に表示する制御部と、
前記第１の広告イメージに対する選択を受信するユーザ入力受信部と、を含み、
前記制御部は、前記第１の広告イメージに対するユーザの選択によって、該ユーザによって選択された前記第１の広告イメージに対応する動的オブジェクトを前記画面に表示しながら、前記第１のウェブページの第１の地点の代わりに予め設定された第２の地点を前記画面に表示するために前記第１のウェブページをスクロールする、
端末装置。
【請求項８】
ウェブサーバによるウェブページの提供方法において、
端末装置から第１のウェブページに対する要求を受信する段階と、
前記端末装置の要求に従って、前記第１のウェブページを前記端末装置に提供する段階と、
を含み、
前記第１のウェブページは、
前記第１のウェブページの第１の地点に位置する第１の広告イメージが前記端末装置の画面に表示された状態で、前記第１の広告イメージに対する選択が受信されると、前記第１の広告イメージに対するユーザの選択によって、該ユーザによって選択された前記第１の広告イメージに対応する動的オブジェクトを前記画面に表示しながら、前記第１のウェブページの第１の地点の代わりに予め設定された第２の地点を前記画面に表示するために、前記第１のウェブページをスクロールするように前記端末装置を制御する、
ウェブページの提供方法。
【請求項９】
前記第１のウェブページは、
前記ユーザによって選択された第１の広告イメージに対応する動的オブジェクトを前記画面に表示しながら、前記第１のウェブページをスクロールするように前記端末装置を制御する、
請求項８に記載のウェブページの提供方法。
【請求項１０】
前記第１のウェブページは、前記第２の地点に位置する第２の広告イメージを含み、
前記第１のウェブページは、
前記第１のウェブページがスクロールする間、前記動的オブジェクトが前記第２の広告イメージから又は前記第２の広告イメージに含まれるイメージ要素のうちの特定のイメージ要素から所定の距離以内に近接すると、前記第２の広告イメージを変更させるように前記端末装置を制御する、
請求項９に記載のウェブページの提供方法。
【請求項１１】
ハードウェアと結合されて、該ハードウェアに請求項８乃至請求項１０のいずれか一項のウェブページの提供方法を実行させるためのコンピュータプログラム。
【請求項１２】
第１のウェブページを格納する格納部と、
端末装置の要求に従って、前記格納された第１のウェブページを前記端末装置に提供する通信部と、
を含み、
前記第１のウェブページは、
前記第１のウェブページの第１の地点に位置する第１の広告イメージが、前記端末装置の画面に表示された状態で、前記第１の広告イメージに対する選択が受信されると、前記第１の広告イメージに対するユーザの選択によって、該ユーザによって選択された前記第１の広告イメージに対応する動的オブジェクトを前記画面に表示しながら、前記第１のウェブページの第１の地点の代わりに予め設定された第２の地点を前記画面に表示するために、前記第１のウェブページをスクロールするように前記端末装置を制御する、
ウェブサーバ。
【発明の詳細な説明】
【技術分野】
【０００１】
本発明は、端末装置及び端末装置によるウェブページの表示方法、並びにウェブサーバ及びウェブサーバによるウェブページ提供方法に関する。
【背景技術】
【０００２】
モバイル端末及びモバイル端末によるネットワークへの接続が活発になることによって、ウェブサーバを運営する企業は、ユーザ端末に伝送するウェブページを通じて、ユーザに多様なサービスを提供している。
【０００３】
例えばポータルサイト企業は、ユーザに天気、辞書、共演、旅行、映画などの様々な情報を提供しており、ユーザはいつでもウェブページを通じて特定の情報を検索し、容易に自分が手に入れたい情報を獲得することができる。
【０００４】
また、ウェブサーバを運営する企業は、ウェブページに広告を含めることにより特定のサービスや商品に対する購買を誘導しているが、現在、多くの企業によって提供される広告は、単純なイメージや動画の形式で構成されているので、ユーザの注意を引くことが難しく、そのため、広告の効果が完全に発揮されていないことが実情である。したがって、ユーザの注意を引くことができる効果的な広告方法が要求される。
【発明の概要】
【発明が解決しようとする課題】
【０００５】
本発明の一実施形態に係る端末装置及び端末装置によるウェブページの表示方法、並びにウェブサーバ及びウェブサーバによるウェブページ提供方法は、ウェブページに含まれる広告の広告効果を向上させることを目的とする。
【０００６】
また、 本発明の一実施形態に係る端末装置及び端末装置によるウェブページの表示方法、並びにウェブサーバ及びウェブサーバによるウェブページ提供方法は、ユーザの注意を集めることができるＵＩ（ｕｓｅｒ  ｉｎｔｅｒｆａｃｅ）を用いてユーザに広告の情報を提供することを目的とする。
【０００７】
また、 本発明の一実施形態に係る端末装置及び端末装置によるウェブページの表示方法、並びにウェブサーバ及びウェブサーバによるウェブページ提供方法は、ウェブサーバ企業の広告の収益性を向上させることを目的とする。
【発明の効果】
【０００８】
本発明の一実施形態に係る端末装置及び端末装置によるウェブページの表示方法、並びにウェブサーバ及びウェブサーバによるウェブページ提供方法は、ウェブページに含まれる広告の広告効果を向上させることができる。
【０００９】
また、本発明の一実施形態に係る端末装置及び端末装置によるウェブページの表示方法、並びにウェブサーバ及びウェブサーバによるウェブページ提供方法は、ユーザの注意を集めることができるＵＩ（ｕｓｅｒ  ｉｎｔｅｒｆａｃｅ）を用いてユーザに広告の情報を提供することができる。
【００１０】
また、本発明の一実施形態に係る端末装置及び端末装置によるウェブページの表示方法、並びにウェブサーバ及びウェブサーバによるウェブページ提供方法は、ウェブサーバ企業の広告の収益性を向上させることができる。
【図面の簡単な説明】
【００１１】
【図１】本発明の一実施形態に係る端末装置とウェブサーバを示す図面である。
【図２】本発明の一実施形態に係るウェブページの表示方法の順序を示すシーケンス図である。
【図３】本発明の一実施形態に係るウェブページの表示方法の順序を具体的に示すシーケンス図である。
【図４】第１のウェブページに含まれた第１の広告イメージを示す図面である。
【図５Ａ】第１の広告イメージがユーザによって選択されたときの端末装置の動作を説明するための図面である。
【図５Ｂ】第１の広告イメージがユーザによって選択されたときの端末装置の動作を説明するための図面である。
【図５Ｃ】第１の広告イメージがユーザによって選択されたときの端末装置の動作を説明するための図面である。
【図６Ａ】第１の広告イメージがユーザによって選択されたときの端末装置の他の動作を説明するための図面である。
【図６Ｂ】第１の広告イメージがユーザによって選択されたときの端末装置の他の動作を説明するための図面である。
【図６Ｃ】第１の広告イメージがユーザによって選択されたときの端末装置の他の動作を説明するための図面である。
【図７】本発明の一実施形態に係る端末装置の構成を示すブロック図である。
【図８】本発明の他の実施形態に係るウェブページの提供方法の順序を示すシーケンス図である。
【図９】本発明の一実施形態に係るウェブサーバの構成を示すブロック図である。
【発明を実施するための形態】
【００１２】
本発明の一実施形態に係るウェブページの表示方法は、
端末装置によるウェブページの表示方法において、第１のウェブページを画面に表示する段階と、前記画面に表示された第１のウェブページに含まれる第１の広告イメージに対するユーザの選択を受信する段階と、前記第１の広告イメージに対応する所定の機能を実行する段階と、を含むことができる。
【００１３】
本発明の他の実施形態に係る端末装置は、
ディスプレイ部と、所定のアプリケーションを用いて第１のウェブページを前記ディスプレイ部の画面に表示する制御部と、前記画面に表示された第１のウェブページに含まれる第１の広告イメージに対するユーザの選択を受信するユーザ入力受信部と、を含み、前記制御部は、前記第１の広告イメージに対応する所定の機能を実行することができる。
【００１４】
本発明の他の実施形態に係るウェブページの提供方法は、
ウェブサーバによるウェブページの提供方法において、端末装置から第１のウェブページに対する要求を受信する段階と、前記端末装置の要求に従って、前記第１のウェブページを前記端末装置に提供する段階と、を含み、前記第１のウェブページは、第１のウェブページが前記端末装置の画面に表示された状態で、前記第１のウェブページに含まれる第１の広告イメージに対するユーザの選択が受信されると、前記第１の広告イメージに対応する所定の機能を実行するように前記端末装置を制御することができる。
【００１５】
本発明の更に別の実施形態に係るウェブサーバは、
第１のウェブページを格納する格納部と、端末装置の要求に従って、前記格納された第１のウェブページを前記端末装置に提供する通信部と、を含み、前記第１のウェブページは、第１のウェブページが、前記端末装置の画面に表示された状態で、前記第１のウェブページに含まれる第１の広告イメージに対するユーザの選択が受信されると、前記第１の広告イメージに対応する所定の機能を実行するように前記端末装置を制御することができる。
【００１６】
本発明の利点及び特徴、そしてそれらを達成する方法は、添付される図面とともに詳細に後述されて、実施形態との関連で明確になる。しかし、本発明は、以下に開示される実施形態に限定されるわけではなく、互いに異なる様々な形態で具現可能である。実施形態は、本発明の開示を完全にするよう、本発明の属する技術分野における通常の知識を有する者に本発明の範囲を完全に伝えるために提供されるものであり、本発明は、特許請求の範囲のみにより定義される。明細書全体にわたって同一の参照符号は、同一の構成要素を指す。
【００１７】
本実施形態において使用される「部」という用語は、ソフトウェア、ＦＰＧＡ又はＡＳＩＣのようなハードウェアの構成要素を意味し、「部」は、ある役割を実行する。しかしながら、「部」は、ソフトウェア又はハードウェアに限定されるように意図されない。「部」は、アドレシング可能な記憶媒体内にあるように構成されるか、一つ以上のプロセッサを実行させるように構成されることもできる。したがって、一つの例として、「部」は、ソフトウェアの構成要素、オブジェクト指向ソフトウェアの構成要素、クラスの構成要素及びタスクの構成要素のような構成要素や、プロセッサ、関数、属性、プロシージャ、サブルーチン、プログラムコードのセグメント、ドライバ、ファームウェア、マイクロコード、回路、データ、データベース、データ構造、テーブル、アレイ及び変数を含む。構成要素と「部」の間で提供される機能は、それより少ない数の構成要素及び「部」で結合されるか又は追加の構成要素と「部」に分離されることができる。
【００１８】
図１は、本発明の一実施形態に係る端末装置１１０とウェブサーバ１３０を示す図面である。図１に示したように、端末装置１１０とウェブサーバ１３０は、ネットワーク１０を通じて互いに連結される。ネットワーク１０は、有線ネットワークと無線ネットワークとを含むことができ、具体的に、ローカルエリアネットワーク（ＬＡＮ：Ｌｏｃａｌ  Ａｒｅａ  Ｎｅｔｗｏｒｋ）、メトロポリタンエリアネットワーク（ＭＡＮ：Ｍｅｔｒｏｐｏｌｉｔａｎ  Ａｒｅａ  Ｎｅｔｗｏｒｋ）、ワイドエリアネットワーク（ＷＡＮ：Ｗｉｄｅ  Ａｒｅａ  Ｎｅｔｗｏｒｋ）のような多様なネットワークを含むことができる。また、ネットワーク１０は、公知のワールドワイドウェブ（ＷＷＷ：Ｗｏｒｌｄ  Ｗｉｄｅ  Ｗｅｂ）を含むことができる。しかし、本発明に係るネットワーク１０は、上記に列挙したネットワークに限定されず、公知の無線ネットワークや公知の電話ネットワーク、公知の有無線テレビネットワークを少なくとも一部含むこともできる。
【００１９】
端末装置１１０は、ウェブサーバ１３０にウェブページを要求し、ウェブブラウザ等の所定のアプリケーションを通じてウェブサーバ１３０から伝送されるウェブページを実行する。端末装置１１０は、ユーザによって入力されたウェブサーバ１３０のアドレスに基づいて、ウェブサーバ１３０からウェブページを受信することができる。
【００２０】
図１は、端末装置１１０として、スマートフォンを示しているが、本発明の一実施形態に係る端末装置１１０は、スマートフォンだけでなく、所定のアプリケーションを用いてウェブページを実行することができるデスクトップコンピュータ、ノートパソコン、ＰＤＡ、ウェブパッド、タブレットＰＣ等の多様な端末装置を含むことができる。
【００２１】
ウェブサーバ１３０は、ウェブページについての端末装置１１０の要求が受信されると、端末装置１１０にウェブページを伝送する。
【００２２】
本発明の一実施形態に係る端末装置１１０は、ウェブページに含まれる広告イメージに対するユーザの選択によって、所定の機能を実行することができるが、これに関しては図２を参照して説明する。
【００２３】
図２は、本発明の一実施形態に係るウェブページの表示方法の順序を示すシーケンス図である。図２は、端末装置１１０によって実行される動作を説明するための図面である。
【００２４】
Ｓ２１０段階において、端末装置１１０は、所定のアプリケーションを利用してウェブページを画面に表示する。端末装置１１０は、ウェブページをウェブサーバ１３０から受信し、所定のアプリケーションを通じてウェブページを端末装置１１０の画面に表示することができる。所定のアプリケーションは、ウェブブラウザの機能を実行することができるアプリケーションを含む。
【００２５】
Ｓ２２０段階において、端末装置１１０は、ウェブページに含まれる広告イメージに対するユーザの選択を受信する。広告イメージは、特定の企業についてのイメージ広告、商品又はサービスについての購買誘導広告等を含むことができる。ユーザは、広告イメージに対するタッチ入力、マウスを用いたクリック入力等を通じて、広告イメージを選択することができる。また、ユーザは、該当広告イメージをタッチ又はクリックして、特定の方向にドラッグした後、タッチ入力又はクリック入力を中断する方式で広告イメージを選択することができる。
【００２６】
Ｓ２３０段階において、端末装置１１０は、広告イメージに対応する所定の機能を実行する。所定の機能は、所定のアプリケーションの機能を含むことができ、例えば画面に表示しているウェブページの上段又は下段を表示する機能、ウェブページを他のウェブページに転換する機能又はウェブページに対するお気に入り登録機能等を含むことができる。端末装置１１０は、広告イメージに対応する所定の機能を実行しながら、広告イメージに対応する動的オブジェクトを画面に表示することができる。これに関しては、図５（Ａ）乃至図５（Ｃ）、図６（Ａ）乃至図６（Ｃ）を参照して後述する。
【００２７】
本発明の一実施形態に係る端末装置１１０は、所定の機能を実行することができる広告イメージを画面に表示することから、ユーザは、所定の機能を実行するために広告イメージを選択することになるので、広告に対するユーザの注意を集めることができ、これによって広告効果も向上できる。
【００２８】
また、ウェブサーバ１３０を運営する企業の立場では、ウェブページの広告機能と所定の機能を同時に実行することができる広告イメージをウェブページに含めることから、所定の機能を実行させる領域を広告企業に販売することができ、これによって広告収益性を向上させることができる。
【００２９】
図３は、本発明の一実施形態に係るウェブページの表示方法の順序を具体的に示すシーケンス図であって、所定の機能がウェブページの上段又は下段を表示する機能である場合の端末装置１１０の動作を説明する図面である。本発明の技術的な思想から逸脱しない範囲において、図３に示す各段階のうちの一部の段階を省略することができ、特定の段階を追加することもできる。
【００３０】
Ｓ３１０段階において、端末装置１１０は、第１のウェブページを端末装置１１０の画面に表示する。前述したように、端末装置１１０は、所定のアプリケーションを通じて第１のウェブページを画面に表示することができる。
【００３１】
Ｓ３２０段階において、端末装置１１０は、第１のウェブページに含まれる第１の広告イメージに対するユーザの選択を受信する。ユーザの選択は、第１の広告イメージに対するタッチ入力、マウスを用いたクリック入力等、多様な方式の選択入力を含むことができる。また、ユーザは、該当広告イメージをタッチ又はクリックし、特定の方向にドラッグした後、タッチ入力又はクリック入力を中断する方式で広告イメージを選択することも可能である。
【００３２】
第１の広告イメージは、第１のウェブページの上段又は下段に位置する。第１の広告イメージが第１のウェブページの下段に位置する場合、第１の広告イメージに対応する機能は、第１のウェブページの上段を画面に表示する機能である。反対に、第１の広告イメージが第１のウェブページの上段に位置する場合、第１の広告イメージに対する機能は、第１のウェブページの下段を画面に表示する機能である。しかし、第１のウェブページ内における第１の広告イメージの位置は上段又は下段に限定されず、第１の広告イメージは、第１のウェブページ内のいずれの地点に位置付けられてもよく、この際、第１の広告イメージが選択されると、ウェブページの他の地点が画面に表示されてもよい。
【００３３】
Ｓ３３０段階において、端末装置１１０は、第１のウェブページが移動する方向に従って動的オブジェクトの表示方向を決定する。第１のウェブページが画面に表示されている間に、第１の広告イメージが選択されて第１のウェブページの上段又は下段を表示しようとする場合、第１のウェブページを上部方向又は下部方向へ移動させるべきである。ここで、上部方向への移動とは、ウェブページの特定の位置を表示した後、画面を下にスクロールして特定の位置より下の領域のウェブページを表示することを意味する。反対に、下部方向への移動とは、表示された特定の位置のウェブページを上にスクロールして、特定の位置より上に位置した領域のウェブページが表示されるようにすることを意味する。
【００３４】
例えば第１の広告イメージに対応する機能が、第１のウェブページの上段を表示させる機能である場合、第１のウェブページを下部方向へ移動させ、第１の広告イメージに対応する機能が、第１のウェブページの下段を表示させる機能である場合、第１のウェブページを上部方向へ移動させるべきである。端末装置１１０は、第１のウェブページが移動する方向に従って動的オブジェクトの表示方向を決定することができる。
【００３５】
一方、第１のウェブページの上段は、画面に表示された第１のウェブページがそれ以上は下部方向へ移動しないときに画面に表示される領域を含んでおり、第１のウェブページの下段は、画面に表示された第１のウェブページがそれ以上は上部方向へ移動しないときに画面に表示される領域を含むことができる。
【００３６】
Ｓ３４０段階において、端末装置１１０は、Ｓ３３０段階において決定された動的オブジェクトの表示方向によって、動的オブジェクトを画面に表示する。動的オブジェクトは、フローティング（ｆｌｏａｔｉｎｇ）方式で表示されたフローティングオブジェクトを含む。フローティングオブジェクトとは、第１のウェブページの移動とは独立的に画面に表示されるオブジェクトを意味する。つまり、端末装置１１０が、第１のウェブページを移動させても、画面に表示されるフローティングオブジェクトは、第１のウェブページの移動に関わらずに、予め設定された地点に位置付けられるか、第１のウェブページの移動とは異なる速度で移動させることができる。
【００３７】
Ｓ３５０段階において、端末装置１１０は、第１のウェブページの上段又は下段を表示するために第１のウェブページを下部方向又は上部方向へ移動させる。ウェブページが移動するときに画面に表示されるフローティングオブジェクトは、特定の地点に配置されるか、特定の方向へ移動させることができる。
【００３８】
Ｓ３６０段階において、端末装置１１０は、画面に表示された動的オブジェクトが、第１のウェブページに含まれる第２の広告イメージから、あるいは第２の広告イメージに含まれるイメージ要素のうちの特定のイメージ要素から所定の距離以内に近接すると、第２の広告イメージを変更することができる。
【００３９】
第１の広告イメージに対する選択によって画面に表示された動的オブジェクトが、第２の広告イメージに近接すると、第２の広告イメージが変更されるので、ユーザは、第１の広告イメージ、動的オブジェクト及び第２の広告イメージの一連の動作を通じて、広告に対する注意を集めることができる。
【００４０】
一方、第１の広告イメージが第１のウェブページの下段に位置する場合、第２の広告イメージは、第１のウェブページの上段に配置され、反対に、第１の広告イメージが第１のウェブページの上段に位置する場合、第２の広告イメージは、第１のウェブページの下段に配置され得る。
【００４１】
一方、第２の広告イメージに対応する機能として、第１の広告イメージに対応する機能と反対の機能を設定することができる。例えば第１の広告イメージに対応する機能が第１のウェブページの下段を画面に表示する機能である場合、第２の広告イメージに対応する機能は、第１のウェブページの上段を画面に表示する機能であり得る。
【００４２】
Ｓ３７０段階において、端末装置１１０は、第１のウェブページの上段又は下段を画面に表示する。
【００４３】
以下に、図４及び図５（Ａ）乃至５（Ｃ）を参照して、第１の広告イメージ４２０に対応する機能が、第１のウェブページ４１０の上段を表示する機能である場合の端末装置１１０の具体的な動作について説明する。第１の広告イメージ４２０に対応する機能が、第１のウェブページ４１０の下段を表示する機能である場合にも、後述する内容は同様にあてはまる。
【００４４】
図４は、第１のウェブページ４１０に含まれる第１の広告イメージ４２０を示す図面であり、図５（Ａ）乃至図５（Ｃ）は、第１の広告イメージ４２０がユーザ２０により選択されたときの端末装置１１０の動作を説明するための図面である。
【００４５】
図４に示されるように、第１のウェブページ４１０は、第１の広告イメージ４２０を第１のウェブページ４１０の下段に含むことができる。第１の広告イメージ４２０は、第１のウェブページ４１０の下段だけでなく、第１のウェブページ４１０の様々な地点に位置することができる。ユーザ２０は、第１のウェブページ４１０の上段を画面に表示するために第１の広告イメージ４２０を選択することができる。ユーザ２０は、多様な方式で第１の広告イメージ４２０を選択することができるが、例えば第１の広告イメージ４２０を所定の時間期間以内でタッチするショットタッチ入力、所定の時間期間以上の間タッチするロングタッチ入力、マウスを用いたクリック入力、第１の広告イメージ４２０に対するタッチの後、所定の方向にドラッグする入力等を通じて第１の広告イメージ４２０を選択することができる。第１の広告イメージ４２０には、第１の広告イメージ４２０を選択する方法が表示されることができる。
【００４６】
第１の広告イメージ４２０に対するユーザ２０の選択が完了すると、端末装置１１０は、第１のウェブページ４１０が移動する方向に基づいて、動的オブジェクト４３０の表示方向を決定する。第１の広告イメージ４２０に対応する機能が、第１のウェブページ４１０の上段を表示する機能である場合、図４に示された第１のウェブページ４１０を下部方向へ移動させなければならないので、端末装置１１０は、図５（Ａ）に示されたように、上部方向に向かっている動的オブジェクト４３０である飛行機オブジェクト４３０を画面に表示することができる。第１の広告イメージ４２０に対応する機能が、第１のウェブページ４１０の下段を表示する機能である場合、端末装置１１０は、図５（Ａ）に示された飛行機オブジェクト４３０の表示方向を下部方向に決定する。
【００４７】
端末装置１１０は、第１のウェブページ４１０が下部方向に移動する間、動的オブジェクト４３０を上部方向へ移動させることができる。図５（Ｂ）に示されたように、第２の広告イメージ４４０が第１のウェブページ４１０の上段に位置する場合、端末装置１１０は、第１の広告イメージ４２０から第２の広告イメージ４４０に向かう方向へ動的オブジェクト４３０を移動させることができる。これによって、ユーザは、第１の広告イメージ４２０と第２の広告イメージ４４０、そして動的オブジェクト４３０が互いに関連があることを認知することができる。
【００４８】
端末装置１１０は、動的オブジェクト４３０が第２の広告イメージ４４０から所定の距離以内に近接した場合、あるいは第２の広告イメージ４４０に含まれるイメージ要素のうちの特定のイメージ要素から所定の距離以内に近接した場合、動的オブジェクト４３０を画面から除去することができる。このとき、図５（Ｃ）に示されるように、第２の広告イメージ４４０を変更することができる。
【００４９】
端末装置１１０は、第２の広告イメージ４４０内に特定のイメージ要素を含めること、第２の広告イメージ４４０内に含まれるイメージ要素のうちの一部を除去すること、あるいは第２の広告イメージ４４０内に含まれるイメージ要素の全部又は一部を他のイメージ要素に変更することにより、第２の広告イメージ４４０を変更することができる。
【００５０】
一方、第２の広告イメージに対応する機能は、第１の広告イメージに対応する機能と反対の機能であり得る。例えば第１の広告イメージに対応する機能が第１のウェブページの下段を画面に表示する機能である場合、第２の広告イメージに対応する機能は、第１のウェブぺージの上段を画面に表示する機能であり得る。第２の広告イメージを選択したときの処理方法は、第１の広告イメージについて前述したものと同様である。
【００５１】
第１のウェブページ４１０の下段に位置する第１の広告イメージ４２０がユーザ２０によって選択されると、第１の広告イメージ４２０から第２の広告イメージ４４０の方向に移動する動的オブジェクト４３０と、動的オブジェクト４３０が近接することによって変更される第２の広告イメージ４４０とを通じて該当広告に対するユーザ２０の注意が向上される。
【００５２】
以下に、第２の広告イメージに対応する機能が、第１のウェブページを第２のウェブページに転換する機能である場合の端末装置１１０の具体的な動作について説明する。
【００５３】
図６（Ａ）乃至図６（Ｃ）は、第１の広告イメージ６２０がユーザ２０により選択されるときの端末装置１１０の動作を説明するための図面である。
【００５４】
図６（Ａ）に示されるように、第１の広告イメージ６２０は、第１のウェブページ６１０に含まれるが、第１の広告イメージ６２０が含まれる地点は様々に決定される。前述したように、ユーザは、第１の広告イメージ６２０を多様な方式で選択することができる。
【００５５】
第１の広告イメージ６２０がユーザ２０によって選択されると、端末装置１１０は、図６（Ｂ）に示されるように、第１のウェブページ６１０を第２のウェブページ６５０に転換しながら、第２のウェブページ６５０のローディングの程度を示す進行バー６３０とともに移動する動的オブジェクト６４０を画面に表示する。
【００５６】
第２のウェブページ６５０に対するローディングが完了すると、端末装置１１０は、動的オブジェクト６４０を画面から除去し、第２のウェブページ６５０を画面に表示する。
【００５７】
図５（Ａ）乃至図５（Ｃ）及び図６（Ａ）乃至図６（Ｃ）に示される動的オブジェクト４３０、６４０の動作及び模様は、一つの実施形態に過ぎず、第１の広告イメージ４２０、６２０が選択されることによって所定のアプリケーションの特定の機能が実行されることを示す動的オブジェクトのあらゆる動作及び模様が、本発明の一実施形態に係る動的オブジェクトに対応することができる。
【００５８】
図７は、本発明の一実施形態に係る端末装置７００の構成を示すブロック図である。図７を参照すると、本発明の一実施形態に係る端末装置７００は、ディスプレイ部７１０、ユーザ入力受信部７３０、制御部７５０及び通信部７７０を含む。
【００５９】
ディスプレイ部７１０は、ウェブページを画面に表示する。端末装置７００に格納される所定のアプリケーションは、ウェブサーバ１３０から受信されるウェブページを実行してディスプレイ部７１０の画面に表示することができる。ウェブページは、所定のアプリケーションの特定の機能を実行することができる広告イメージを含む。
【００６０】
ユーザ入力受信部７３０は、広告イメージに対するユーザの選択を受信する。ユーザ入力受信部７３０は、タッチスクリーン、マウス、キーボード、トラックボール等、ユーザの入力を受信することができる様々な入力装置を含める。
【００６１】
制御部７５０は、ユーザによって選択された広告イメージに対応する所定のアプリケーションの機能を実行する。また、制御部７５０は、所定のアプリケーションの機能を実行しながら、第１の広告イメージに対応する動的イメージを画面に表示することもできる。
【００６２】
制御部７５０は、ウェブページに含まれる制御命令に従って、ウェブページ内における一つ以上の広告イメージが位置する地点、広告イメージに対するユーザの選択によって実行する所定のアプリケーションの機能、所定のアプリケーションの機能を実行する間に画面に表示される動的オブジェクトの模様と動作等を決定することができる。
【００６３】
前述したように、所定のアプリケーションの機能は、ウェブページの上段又は下段を表示する機能、第１のウェブページを第２のウェブページに転換する機能又はウェブページに対するお気に入り登録機能を含む。
【００６４】
通信部７７０は、ウェブサーバ１３０からウェブページを受信する。例えばウェブページの表示要求がある場合、該当ウェブページをウェブサーバ１３０から受信し、第１のウェブページを第２のウェブページに転換する機能を実行する第１の広告イメージがユーザによって選択された場合、第２のウェブページをウェブサーバ１３０から受信する。
【００６５】
図８は、本発明の更に他の実施形態に係るウェブページ提供方法の順序を示すシーケンス図であり、図８は、本発明の一実施形態に係るウェブサーバ１３０の具体的な動作を説明するための図面である。
【００６６】
まず、ウェブサーバ１３０は、ウェブページを格納することができる。このウェブページは、外部の他のサーバから受信されるか、ウェブページの製作者によって生成されてウェブサーバ１３０に格納される。あるいは、ウェブページは、ウェブサーバ１３０によって自動的に生成されることもできる。
【００６７】
Ｓ８１０段階において、ウェブサーバ１３０は、特定のウェブページに対する端末装置１１０の要求を受信する。ウェブサーバ１３０は、図１に示したネットワーク１０を通じて接続される端末装置１１０からウェブページの要求を受信することができる。
【００６８】
Ｓ８２０段階において、ウェブサーバ１３０は、要求されたウェブページを端末装置１１０へ伝送する。ウェブページは、端末装置１１０の所定のアプリケーションを通じて第１のウェブページが端末装置１１０の画面に表示された状態で、ウェブページに含まれる広告イメージに対するユーザの選択が受信されると、広告イメージに対応する所定のアプリケーションの機能を実行するように、端末装置１１０を制御することができる。
【００６９】
ウェブページには、一つ以上の広告イメージをウェブページのどの地点に表示するべきか、ウェブページに対するユーザの選択によって所定のアプリケーションのどの機能を実行するべきか、所定のアプリケーションの機能を実行しながら、どの模様の動的オブジェクトをどのように表示するべきか等についての制御命令が含まれる。ウェブページを受信した端末装置１１０は、第１のウェブページに含まれる制御命令に従って、ウェブページを表示することができる。
【００７０】
本発明の別の実施形態によると、ウェブサーバ１３０は、ウェブページ内における広告に対する端末装置１１０のユーザ選択信号を受信し、これに対する動的オブジェクトの表示及び／又は所定のアプリケーションの機能実行の信号を端末装置１１０へ伝送することができる。
【００７１】
図９は、本発明の一実施形態に係るウェブサーバ９００の構成を示すブロック図である。図９を参照すると、本発明の一実施形態に係るウェブサーバ９００は、格納部９１０、通信部９３０及び制御部９５０とを含む。
【００７２】
制御部９５０は、格納部９１０及び通信部９３０の動作を制御し、制御部９５０は、マイクロプロセッサで構成される。
【００７３】
格納部９１０は、第１のウェブページを格納する。第１のウェブページは、外部の他のサーバから受信されるか、ウェブページの製作者によって生成されてウェブサーバ９００に格納されることができる。あるいは、第１のウェブページは、ウェブサーバ９００によって自動的に生成されることもできる。第１のウェブページには、端末装置１１０に格納された所定のアプリケーションの機能を実行させる第１の広告イメージが含まれる。
【００７４】
通信部９３０は、ウェブページに対する端末装置１１０の要求を受信し、端末装置１１０の要求に従って、ウェブページを端末装置１１０に伝送する。広告イメージに対応する機能がウェブページを別のウェブページに転換させる機能である場合、通信部９３０は、広告イメージに対するユーザの選択によって、端末装置１１０から伝送される別のウェブページに対する要求を受信し、端末装置１１０に別のウェブページを伝送することもできる。
【００７５】
ウェブページには、一つ以上の広告イメージをウェブページのどの地点に表示するべきか、ウェブページに対するユーザの選択によって所定のアプリケーションのどの機能を実行するべきか、所定のアプリケーションの機能を実行しながら、どの模様の動的オブジェクトをどのように表示するべきか等に対する制御命令が含まれる。ウェブページを受信した端末装置１１０は、ウェブページに含まれる制御命令に従って、ウェブページを表示することができる。
【００７６】
本発明の別の実施形態によると、通信部９３０は、端末装置１１０からウェブページ内における広告に対するユーザ選択信号を受信する。制御部９５０は、ユーザの選択信号に従って、処理されるべき動的オブジェクトの表示方法及び／又は処理されるべき所定のアプリケーションの機能を判断し、通信部９３０を通じてこれを実行させるための信号を端末装置１１０へ伝送することができる。
【００７７】
一方、前述した本発明の実施形態は、コンピュータで実行されることができるプログラムで実現可能であり、コンピュータ読取可能記憶媒体を用いて、プログラムを実行する汎用デジタルコンピュータにより具現化されることができる。
【００７８】
コンピュータ読取可能記憶媒体は、磁気記憶媒体（例えばＲＯＭ、フロッピー（登録商標）ディスク、ハードディスク等）、光読取可能媒体（例えばＣＤ−ＲＯＭ、ＤＶＤ等）、磁気−光媒体（例えばフロプティカルディスク（Ｆｌｏｐｔｉｃａｌ  ｄｉｓｋ））、プログラム命令語を格納して実行するように特別に構成されるハードウェアデバイス（例えばＲＯＭ、ＲＡＭ、フラッシュメモリ等）及び搬送波（例えばインターネットを介した伝送）のような記憶媒体を含む。さらに、媒体は、ネットワーク上において伝送可能な形態で具現される無形の媒体を含み、例えばソフトウェア又はアプリケーションの形態で具現されてネットワークを通じて伝送及び伝達可能な形態の媒体であることもできる。
【００７９】
一方、コンピュータプログラムは、本発明のために特別に設計されて構成されたものであるか、コンピュータソフトウェア分野の当業者に公知の使用可能なものであり得る。コンピュータプログラムの例として、コンパイラによって作成されるような機械語コードだけでなく、インタープリタなどを使用してコンピュータによって実行される高級言語コードも含まれることができる。
【００８０】
以上、添付された図面を参照しながら本発明の実施形態を説明したが、本発明の属する技術分野における通常の知識を有する者であれば、本発明がその技術的な思想や必須的な特定を変更することなく、他の具体的な形態で実施されることが可能であることが理解可能であろう。したがって、上記で説明される実施形態は、全ての側面で例示的なものであり、限定されるものではないと理解されるべきである。
【図１】
2019169163.tif 000003
【図２】
2019169163.tif 000004
【図３】
2019169163.tif 000005
【図４】
2019169163.tif 000006
【図５Ａ】
2019169163.tif 000007
【図５Ｂ】
2019169163.tif 000008
【図５Ｃ】
2019169163.tif 000009
【図６Ａ】
2019169163.tif 000010
【図６Ｂ】
2019169163.tif 000011
【図６Ｃ】
2019169163.tif 000012
【図７】
2019169163.tif 000013
【図８】
2019169163.tif 000014
【図９】
2019169163.tif 000015